(57)【特許請求の範囲】
【請求項１】
室外機(２)のケーシング(９)内に配置されて熱交換器(３)の内側の面に水を散布する複数のノズル(４)と、
上記複数のノズル(４)が上記熱交換器(３)の内側の面に水を散布するように、上記複数のノズル(４)を取付部(３,９,１０)に取り付ける取付部材(２９)と
を備え、
上記複数のノズル(４)は、それぞれ、上記熱交換器(３)に近接するように配置されて、角錐状に水を噴出して、略多角形領域に水を散布するノズル(４)であることを特徴とする補助冷却装置。
【請求項２】
請求項１に記載の補助冷却装置(１,２１)とファン(６)と熱交換器(３)とをケーシング(９)内に配置していることを特徴とする室外機。
【請求項３】
請求項２に記載の室外機において、上記補助冷却装置(２１)は上記ファン(６)と熱交換器(３)との間の空気流路に設けたことを特徴とする室外機。
【請求項４】
請求項２または３に記載の室外機において、上記ノズル(４)は、ファン(６)と熱交換器(３)との間の空気の流れの上流側に向けて水を噴出することを特徴とする室外機。
【請求項５】
請求項２乃至４に記載の室外機において、上記ノズル(４)はファン(６)と熱交換器(３)との間の空気の流路の外縁部または上記空気の流路の外側に設けたことを特徴とすることを特徴とする室外機。
【発明の詳細な説明】
【０００１】
【発明の属する技術分野】
本発明は、補助冷却装置およびこの補助冷却装置を備えた室外機に関する。
【０００２】
【従来の技術】
従来、補助冷却装置としては、図４に示すように、室外機４２のケーシング４６の吸込側の外側に取付枠４９によってノズル４４を配置し、このノズル４４に給水管４５を通して水を供給して、熱交換器４３の外側の面に水を散布して、この水の蒸発潜熱を利用して熱交換器４３を冷却するようにしたものがある。
【０００３】
【発明が解決しようとする課題】
ところが、上記従来の補助冷却装置では、図４に示すように、室外機４２の吸込側の外側に設けるため、室外機４２の吸込側の外側に寸法ｄのスペースが必要になるという問題がある。このスペースがこの最小吸込スペース以下なら問題はないが、通常最小吸込スペースよりも大きくなるため、室外機４２が狭い箇所に取り付けられた場合は、この補助冷却装置４１を室外機４２に取り付けることができないという問題があった。
【０００４】
そこで、本発明の目的は、室外機の内部の空間を有効に利用して、狭い箇所に設置した室外機にでも設けることができる補助冷却装置およびそれを備えた室外機を提供することにある。
【０００５】
【課題を解決するための手段】
上記目的を達成するため、請求項１の補助冷却装置は、室外機のケーシング内に配置されて熱交換器の内側の面に水を散布する複数のノズルと、上記複数のノズルが上記熱交換器の内側の面に水を散布するように、上記複数のノズルを取付部に取り付ける取付部材とを備え、上記複数のノズルは、それぞれ、上記熱交換器に近接するように配置されて、角錐状に水を噴出して、略多角形領域に水を散布するノズルであることを特徴としている。
【０００６】
請求項１の補助冷却装置によれば、上記ノズルは室外機のケーシング内に配置されて、熱交換器の内側の面に水を散布して、熱交換器を冷却する。したがって、室外機のケーシングの外側に、このノズルを取り付けるためのスペースを必要としない。また、ノズルがケーシング内に有るから、そのノズルから散布される水は、室外機の外部で吹く風の影響を受けなくて、殆ど全て熱交換器に散布されて、無駄に飛散することがない。また、室外機の外側にも飛び散ることがない。
【０００７】
【０００８】
また、上記ノズルが取付部材によってケーシング内に位置するように取付部に取り付けられる。このように、この補助冷却装置は上記ノズルをケーシング内に位置させるための特有の取付部材(たとえば、取付枠、連結固定具)を有するから、取付部(たとえば、熱交換器、ベルマウス、ケーシング)に簡単に取り付けることができる。
【０００９】
【００１０】
また、上記ノズルを複数有するから各ノズルを熱交換器に近接させても、複数のノズルで熱交換器の略全面に水を散布できる。したがって、この補助冷却装置は、室外機のケーシング内での狭い空間に配置できるのである。
【００１１】
【００１２】
また、角錐状に水を噴射するノズルは、熱交換器の略多角形の領域に水を散布する。一方、熱交換器は、一般に矩形の面を有する。したがって、上記熱交換器の矩形の面を、上記補助冷却装置が複数の上記ノズルで散布した複数の多角形領域で埋めつくすことができる。したがって、上記熱交換器の矩形の面の略全面に水を散布して、熱交換器の略全面を効果的に冷却でき、かつ、熱交換器の矩形の面の略全面を洗浄できる。
【００１３】
請求項２の室外機は、請求項１に記載の補助冷却装置とファンと熱交換器とをケーシング内に配置していることを特徴としている。
【００１４】
請求項２の室外機によれば、上記補助冷却装置は室外機のケーシング内に配置されている。したがって、この室外機では、室外機の外側に、補助冷却装置を取り付けるためのスペースを必要とすることなく、ノズルから噴射された水の蒸発潜熱を利用して、熱交換器を冷却でき、かつ、その水で熱交換器を洗浄できる。また、ノズルからの水は、室外機の外部で吹く風の影響を受けないので、無駄に飛散することもなく、また室外機の外側にも飛び散らない。
【００１５】
請求項３の室外機は、請求項２に記載の室外機において、上記補助冷却装置は上記ファンと熱交換器との間の空気流路に設けたことを特徴としている。
【００１６】
請求項３の室外機によれば、上記補助冷却装置が上記ファンと熱交換器との間の空気流路のスペースを利用して設置されている。したがって、補助冷却装置のための特別のスペースを設ける必要がなく、室外機がコンパクトになる。
【００１７】
請求項４の室外機は、請求項２または３に記載の室外機において、上記ノズルは、ファンと熱交換器との間の空気の流れの上流側に向けて水を噴出することを特徴としている。
【００１８】
請求項４の室外機によれば、上記ノズルから水が空気の流れの上流側へ、かつ、熱交換器に向けて噴射される。したがって、ノズルから噴射された水は向かい風になる空気の流れによって広がる。したがって、ノズルの散布領域が広がって、より少ない数のノズルで熱交換器の略全面に水を散布できる。
【００１９】
請求項５の室外機は、請求項２乃至４いずれか１つに記載の室外機において、上記ノズルはファンと熱交換器との間の空気の流路の外縁部または上記空気の流路の外側に設けたことを特徴としている。
【００２０】
請求項５の室外機によれば、上記ノズルが上記空気の流路の外縁部または外側に設けられているから、このノズルは空気の流れに対して殆ど抵抗とならない。したがって、騒音や動力のロスが少なくなる。
【００２１】
【発明の実施の形態】
以下、この発明を図示の実施の形態により詳細に説明する。
【００２２】
図１(Ａ)に示すように、室外機２は、ケーシング９内の右側に配置された熱交換器３と、この熱交換器３に対向するようにケーシング９の左側に配置されたファン６とを備えている。このファン６の回転によって、風を図１(Ａ)中で右から左に送って、熱交換器３を通った風をベルマウス１０から外に吹き出すようにしている。上記熱交換器３とファン６との間の空気流路にノズル４を設けて、このノズル４から熱交換器３の内側の面に水を角錐状に噴射するようにしている。このノズル４は、図１(Ｂ)に示すようにファン６の外縁よりも外側４箇所に設けている。上記ノズル４,４,４,４は、取付部としてのケーシング９またはベルマウス１０に図示しない取付部材としての連結固定具により取り付けている。上記ノズル４,４,４,４と連結固定具は補助冷却装置１を構成している。なお、図１(Ｂ)において、７は圧縮機である。
【００２３】
上記構成において、冷房時、空気はファン６によって吸引されて熱交換器３を通り、さらにベルマウス１０を通って、外部に吹き出される。このとき、ノズル４,４,４,４から水が角錐状に噴射されて、図１(Ｂ)に示すように、熱交換器３の内側の面の台形領域８,８,８,８に水が散布されて、熱交換器３の内側の面の略全面を濡らし、かつ、洗浄する。そして、この散布された水の蒸発潜熱によって、熱交換器３が効果的に冷却されて、冷房能力が増大し、かつ、成績係数が向上する。
【００２４】
また、ノズル４がケーシング９内に有るから、そのノズル４から噴射される水は、室外機２の外部で吹く風の影響を受けなくて、殆ど全て熱交換器３に散布される。つまり、ノズル４からの水を無駄に外部に飛散させない。また、このノズル４から散布された水は、室外機２の外側にも飛び散らない。
【００２５】
また、上記ノズル４はファン６の外縁よりも外側、つまり空気の流路の外周部に位置するので、ファン６と熱交換器３との間の空気の流れがノズル４によってあまり乱されない。したがって、補助冷却装置１を備えた室外機２の騒音や動力のロスが少なくなる。
【００２６】
さらに、上記ノズル４から水が空気の流れの上流側へ、かつ、熱交換器３に向けて噴射されるので、ノズル４から噴射された水は向かい風になる空気の流れによって広がる。このように、ノズル４の散布領域８が広がって、上記補助冷却装置１はより少ない数のノズル４,４,４,４で熱交換器３の略全面に水を散布できる。
【００２７】
また、上記補助冷却装置１は、室外機２のケーシング９内に配置されているから、室外機２の外側に補助冷却装置１のためのスペースが不要となる。従来においては、図４に示すように、室外機４２の外側に補助冷却装置４１を取り付けるために寸法ｄのスペースを必要としていたのである。また、補助冷却装置１に視点を向けると、狭い箇所に設置した室外機にも、この補助冷却装置１を室外機に取り付けることができるのである。
【００２８】
図２は、本発明の他の実施の形態を示し、この実施の形態では熱交換器３の内側の面に対向するように、ノズル４,４を取付部材としての取付枠２９によって取付部としての熱交換器３に取り付けている。このノズル４,４と取付枠２９で補助冷却装置２１を構成する。
【００２９】
上記ノズル４,４は、ファン６によって吸引される空気の流れの上流側に向けて角錐状に水を噴出して、熱交換器３の内側の面に水を散布する。この複数のノズル４,４から噴出された水は、向かい風となる空気の流れによって広がるから、補助冷却装置２１は、より少ない数のノズル４,４で熱交換器３の内側の略全面に水を散布できる。
【００３０】
また、上記ノズル４,４が複数なので、熱交換器３との距離が小さくても、複数のノズル４は熱交換器３の内側の略全面に水を散布できる。もし、ノズル４が１個のみならば、熱交換器３の内側の略全面に水を散布するために、１個のノズルと熱交換器３との距離を大きくしなければならないのである。このように、複数のノズル４,４を用いるから、ノズル４,４と熱交換器３とを近接できるから、補助冷却装置２１を薄型にでき、室外機２のケーシング９内の狭い空間を有効に利用できる。また、室外機２も小型になる。
【００３１】
図３は、本発明の参考例を示し、ケーシング３５の左右両端部に熱交換器３３,３３を設け、ケーシング３５の上部内にファン３６を設けている。このファン３６によって、空気がケーシング３５の左右両端の熱交換器３３,３３を通って、ケーシング３５内に流入して、上方に吹き出す。上記熱交換器３３,３３に取付枠３９によってノズル３４を取り付けて、熱交換器３３の内側の面に円錐状に水を噴霧するようにしている。上記ノズル３４と取付枠３９で補助冷却装置３１を構成している。
【００３２】
上記ノズル３４から噴霧された水滴は向かい風を受けて拡がって、熱交換器３３に対する散布領域が広くなる。したがって、より少ない数のノズル３４,３４で熱交換器３３の内側の面の略全面に水を散布できる。また、ケーシング３５内のノズル３４から散布される水は、室外機３２の外部で吹く風によって、無駄に飛散することがないので、殆ど全て熱交換器３３に散布することができる。また、室外機３２の外側にも飛び散ることがない。
上記実施の形態では、ノズルから噴射される水は、向かい風を受けて拡がるようにしているが、下流側に水を噴射して追い風を受けて、熱交換器に強く当たるようにしてもよい。
また、上記実施の形態では、ノズルは風の通路に設けたが、風の通路外に設けるようにしてもよい。
【００３３】
【発明の効果】
以上より明らかなように、請求項１の補助冷却装置は、室外機のケーシング内に配置されたノズルによって、熱交換器の内側の面に水を散布するので、室外機のケーシングの外側に、このノズルを取り付けるためのスペースを必要としない。また、このノズルがケーシング内に有るから、そのノズルから散布される水は、室外機の外部で吹く風の影響を受けなくて、殆ど全て熱交換器に散布されて、無駄に飛散することがない。また、水が室外機の外側に飛び散ることがない。
【００３４】
また、請求項１の補助冷却装置は、上記ノズルをケーシング内に位置するように取付部に取り付けるための特有の取付部材を有するので、このノズルを取付部に簡単に取り付けることができる。
【００３５】
また、請求項１の補助冷却装置は、ノズルを複数有するので、各ノズルを熱交換器に近接させても、複数のノズルで熱交換器の略全面に水を散布できる。このように、この補助冷却装置は、ノズルを熱交換器に近接させることができるので、室外機のケーシング内での狭い空間に配置できる。
【００３６】
また、請求項１の補助冷却装置は、ノズルが角錐状に水を噴射するので、複数のノズルで散布した複数の多角形領域で熱交換器の矩形の面を埋めつくすことができる。したがって、このノズルは、円錐状に水を噴射するノズルでは水が散布できなかった熱交換器の矩形の面の角部にも水を散布でき、熱交換器の矩形の面の略全面を水の蒸発潜熱で冷却して、熱交換器の熱交換能力を向上させることができる。
【００３７】
また、請求項２の室外機は、ケーシング内に補助冷却装置を配置するので、室外機の外側に、補助冷却装置を取り付けるためのスペースを必要とすることがなく、ノズルから噴射された水の蒸発潜熱を利用して熱交換器を冷却できて、冷房能力と成績係数を向上でき、かつ、その水で熱交換器を洗浄できる。また、このノズルから散布される水は、室外機の外部で吹く風の影響を受けないので、無駄に飛散することがなく、また室外機の外側にも飛び散らない。
【００３８】
また、請求項３の室外機は、ファンと熱交換器との間の空気流路のスペースに補助冷却装置を設置するので、補助冷却装置のための特別のスペースを設ける必要がなくなって、室外機をコンパクトにすることができる。
【００３９】
また、請求項４の室外機は、空気の流れの上流側へ、かつ、熱交換器に向けて水を噴射するノズルを備えているので、ノズルの散布領域が広がる。したがって、より少ない数のノズルで熱交換器の略全面に水を散布できる。
【００４０】
また、請求項５の室外機は、ノズルが上記空気の流路の外縁部または外側に設けられているので、このノズルは空気の流れに対して殆ど抵抗とならない。したがって、上記室外機の騒音や動力のロスが少なくなる。
【図面の簡単な説明】
【図１】  図１(A)は本発明の一実施の形態の補助冷却装置をケーシング内に取り付けた室外機の断面図であり、図１(B)は図１(A)の断面図である。
【図２】  他の実施の形態の断面図である。
【図３】  参考例の断面図である。
【図４】  従来の補助冷却装置を取り付けた室外機の断面図である。
【符号の説明】
１,２１      補助冷却装置
２           室外機
３           熱交換器
４           ノズル
６           ファン
【図１】
0004077558.tif 000002
【図２】
0004077558.tif 000003
【図３】
0004077558.tif 000004
【図４】
0004077558.tif 000005